(57)【要約】 【課題】  所定間隔を開いて隣り合う固定された一対の棚柱の大小間隔に適応し得、且つこの適応状態を強固に固定し得ると共に、棚柱間隔に相応しない大小幅の棚板を取り付け可能で、しかも取り付け取り外しが簡易で安定した棚装置を提供する。【解決手段】  所定間隔開いて隣り合う左右一対の棚柱４、４аと、所定長さを有し正面側に棚板５を着脱する嵌着溝１４を備え、裏面側に溝型レール１５、１６を備えた棚受け１と、この棚受け１の溝レール１５、１６をスライド移動すると共に、端部の裏面側に棚柱４，４ａの取付孔４２に係脱するフック２３ａを備えた二つのスライダー２、２と、このスライダーの端部の正面側に回動可能に軸支されたアーム３１の鉤部３２先端に備えたブレーキ突子３４が溝型レール１６に接離するロックアーム３とから成ることを特徴とする。【選択図】          図１
2014236888.tif 000002
【特許請求の範囲】
【請求項１】
所定間隔開いて隣り合う左右一対の棚柱と、所定長さを有し正面側に棚板を着脱する嵌着溝を備え、裏面側に溝型レールを備えた棚受けと、この棚受けの溝型レール上をスライド移動すると共に、端部の裏面側に棚柱の取付孔に係脱するフックを備えた二つのスライダーと、このスライダーの端部の正面側に回動可能に軸支されたアームの鉤部先端に備えたブレーキ突子が溝型レールに接離するロークアームとから成ることを特徴とする棚装置。
【請求項２】
前記溝型レールは、棚受けの天板部の裏面に設け、平板状のスライダーの上端を嵌着する溝型上レールと、棚受けの底板部に設け、スライダーの下端を嵌着する溝型下レールとから成ることを特徴とする請求項１記載の棚装置。
【請求項３】
前記溝型下レールは、深溝部と段差を介して連続する浅溝部とからなり、ロックアームの回動操作で深溝部に位置するブレーキ突子が浅溝部の底面に圧接してスライダーの定位状態を固定することを特徴とする請求項１記載の棚装置。
【請求項４】
前記ロックアームの回動操作で、スライダーの定位状態が固定されるとき、同時にアーム裏面に外方向へ突設する嵌入爪が棚柱の取付孔に嵌入係止することを特徴とする請求項１または請求項３記載の棚装置。
【発明の詳細な説明】
【技術分野】
【０００１】
この発明は、棚装置に関する。
【背景技術】
【０００２】
図７は、従来の棚装置を示す斜視図である。
この棚装置は、所定間隔を開いて隣り合う左右一対の棚柱４、４ａと、棚柱４、４ａに着脱する棚受け７、７と、棚受け７、７に載せる棚板５とからなる。
棚柱４、４ａは、短冊状平板部の側面に屈曲脚部を設けて断面コ字状に形成している。短冊状平板部の面内に取付孔４２を一定間隔開いて多数開口してある。
【０００３】
前記棚受け７は、棚柱４（４ａ）の正面幅と略同様な幅を有する矩形板の長さ略中央部を内向きに屈曲させたもので、水平状板部７１と斜傾状の支承板部７２とからなる。水平状板部７１と支承板部７２の各先端には、棚柱４（４ａ）の取付孔４２幅より幅狭の板状引掛け片７１ａ、７２ａを突設している。
【０００４】
この棚装置では、クローゼットなどの少なくとも一方の側面（取付面）の面内に、所定間隔開いて隣り合う左右一対の棚柱４、４ａをビス止着してある。棚受け７、７は、所望の棚高さに対応する取付孔４２を選択し、取付孔４２に引掛け片７１ａを挿入した後、下方の対応する取付孔４２に引掛け片７２ａを挿入して引っ掛け係止する。
【０００５】
使用に際しては、隣り合う棚柱４、４間隔、すなわち隣り合う棚受け７、７間隔に対応した幅を有する棚板５を、棚受け７、７上に乗せ置いて使用される。
【特許文献１】特開平９−１４８２９号公報
【特許文献２】実開平７−４３７７８号公報
【発明の開示】
【発明が解決しようとする課題】
【０００６】
上記棚装置では、所定間隔開いて隣り合い状に配備される左右一対の棚柱が固定であり、この棚柱に取り付けされる棚受けの開き間隔も棚柱の間隔と等しく固定となる。このため、棚受けに乗せ置いて使用される棚板の幅は、棚受け間隔（棚柱間隔）に制限される。
【０００７】
例えば、棚受け（棚柱）間隔より幅の小さい棚板は、棚受けに対し跨り状に載置できず、逆に棚受け（棚柱）間隔に比し幅の大きい棚板は、載置が不安定となり使用できない。更に、棚板、例えばハンガーパイプなどのような小径のものでは、全く使用できない不利があった。
【０００８】
また、所定間隔開いて左右に隣合う各棚柱の同じ高さ位置の取付孔を選定して棚受けをセットする手間がかかる許かりでなく、各引っ掛け片を対応する取付孔に係止して棚受けと棚柱を固定しているだけであるから、係合が強固でないなど等の不利があった。
【０００９】
この発明は、以上のような課題を解消させ、所定間隔開いて隣り合う固定された一対の棚柱の大小間隔に適応し得、且つこの適応状態を強固に固定し得ると共に、棚柱間隔に相応しない大小幅の棚板の取り付けが可能で、しかも取付け取り外しが簡易で安定した棚装置を提供することを目的とする。
【課題を解決するための手段】
【００１０】
この目的を達成させるために、この発明の棚装置では、次のような構成としている。
棚装置は、所定間隔を開いて隣り合う左右一対の棚柱と、所定長さを有し正面側に棚板を脱着する嵌着溝を備え、裏面側に溝型レールとを備えた棚受けと、この棚受けの溝レールをスライド移動すると共に、端部の裏面側に棚柱の取付孔に係脱するフックを備えた二つのスライダーと、このスライダーの端部の正面側に回動可能に軸支されたアームの鉤部先端に備えたブレーキ突子が溝型レールに接離するロックアームとからなる。
【発明の効果】
【００１１】
このような構成を有する棚装置では、所定間隔開いて隣り合う左右一対の棚柱間隔に合わせて所定長さを有する棚受けの二つのスライダーを移動可能としたから、固定された棚柱の大小間隔に適応し得る。
【００１２】
また、棚板は所定長さを有する棚受けに対し着脱可能に配備されるため、棚柱間隔に相応しない大小任意の大きさの棚板を取り付けし得る。
【００１３】
更に、アームの回動操作でブレーキ突子を溝型レールに圧接させることで、スライダーの停止位置を固定し得、意に反し外れることがなく安定定位する。
【００１４】
また、所定長さを有する棚受けを左右一対の棚柱に対し、跨り状に位置させ取付孔の高さ位置を選定するだけの操作で、左右の取付孔に対し同時にフックを係合させ得、取付け取り外しが簡単である等、発明目的を達成した優れた効果を有する。
【発明を実施するための最良の形態】
【００１５】
以下、図面に基づき本発明に係る棚装置の具体的な実施の形態を説明する。
図１は、棚装置を示す斜視図である。
棚装置は、所定間隔を開いて隣合う左右一対の棚柱４、４ａと、左右一対の棚柱４、４ａ間に跨って取付けされる所定長さを有する棚受け１と、この棚受け１に配備された一対のスライダー２、２と、スライダー２の一端部に備えるロックアーム３とからなる。
【００１６】
棚柱４（４ａ）は、ステンレス材等の板金による成形品で、短冊状の平板４１と、この平板４１の両側辺を直角状に屈曲させた両側面部４３，４３とからなる。平板４１の面内には、一定間隔を開いて上下方向へ多数の取付孔４２を開口し、適所に止着用ビス孔（図示せず）を開設してある。
【００１７】
この棚柱４、４ａは、左右一対で、例えばクローゼットなどの取付壁面の面内に所定距離開いて隣り合い状にビス固定される。
【００１８】
前記棚受け１は、例えばステンレス板などの金属製で、横長短冊状の天板部１２と、天板部１２の一側辺をほぼ直角に折り曲げた垂直状の正面板部１１と、正面板部１１の下面を内向きに折り曲げた底板部１１ａとから成る断面コ字状に形成している。更に、両端部には側板部１１ｂを取付けている。
【００１９】
上記底板部１１ａは、図４で示すように、天板部１２とほぼ平行状で、天板部１２幅よりも内向き幅を小さく設定している。この天板部２１の内面には、溝型上レール１５を設け、底板部１１ａには深溝部１６ａと段差を介して連続する浅溝部１６ｂとで構成する溝型下レール１６を設け、後述するスライダー２の滑動板２１の上・下端をスライド移動可能に嵌合する（図５参照）。
【００２０】
棚受け１の正面板部１１の面内には、面内幅中央に一定幅の溝開口１３と、この溝開口１３に連続する内方向へ凹む弓状の嵌着溝１４とを形成している。この嵌着溝１４に棚板５の一側辺に備える嵌着部（例えば大小の幅長さを有する平板状の棚板、或いは図１で示すようなハンガーパイプ５１端のパイプ支持具５２に備える嵌着部）５３を嵌着固定する。
【００２１】
図２は、前記スライダー２の裏面図である。
スライダー２は、横長矩形の平板状の滑動板２１と、滑動板２１の背面側の一端部に配備された縦長矩形状の枠体２２とからなる。枠体２２は、後方へ突出する対向側壁２２ａ、２２ａと、対向側壁２２ａを連続する背板（中仕切り）２２ｂと、背板２２ｂの下部を切り欠いた挿入開口部２２ｃとを備えている。
【００２２】
上記背板２２ｂの背面側には、図４で示すように、面内に棚柱４の取付孔４２に係止するフック２３ａ、２３ａを上下方向へ突出状に備えたフック板２３を取付け、背板２２ｂの正面側には後述する軸受け２４を設けている。この軸受け２４は、上記溝型下レール１６内に位置している。
【００２３】
また、棚柱（両側面部４３）４を両側壁２２ａ間へ嵌め入れたとき、フック２３が上下方向へ並ぶ取付孔４２に対応する。
【００２４】
図３は、スイダー２とロックアーム３との関係を示す分離斜視図である。
ロックアーム３は、背板２２ｂの正面側に配備される板状アーム３１と、板状アーム３１の上端部に連続し外向きに屈曲する鉤部３２と、鉤部３２の先端部３２ａに両側へ突出させた丸棒状の軸部３３と、先端部３２の下端部に設けたブレーキ突子３４とからなる。
【００２５】
前記スライダー２の枠体２２の対向壁２２ａ、２２ａ間には、上記鉤部３２が嵌り且つ軸部３３の両端を支承する湾曲アーム状の軸受け２４、２４を設けて、ロックアーム３３を回動可能に軸支している。
【００２６】
図４で示すように、枠体２２の両対向壁２２ａから板状アーム３１を外方向へ回動させるとき、つまり正面板部１１より下方へ吊り下げ状に位置している板状アーム３１を棚受け１の正面側へ引き出すとき、鉤部３２の先端部３２ａは深溝部１６ａ内に位置し、スライダー２は棚受け１の長手方向へ自由にスライド移動する。
【００２７】
このような構成を有する棚装置では、図１で示すように、クローゼット等の壁面に既設された所定間隔を開いて隣り合う左右一対の棚柱４、４間の距離は、大小まちまちに固定されている。
【００２８】
図４で示すように、板状アーム３１を棚受け１の正面板部１１側へ回動させた状態、つまり、鉤部３２のブレーキ突子３４が深溝部１６ａに位置している状態で、スライダー２、２は自由にスライド移動させ得、大小まちまちな棚柱４、４ａ間隔に適応させ得る。また、棚板は棚受け１の嵌着溝１４に固定しており、棚柱４、４ａ間隔に相応しない幅、長さの棚板を取付できる。
【００２９】
図５で示すように、棚柱４、４ａ間隔に対し、跨り状に棚受け１を対向させるとき、棚柱４（４ａ）の両側面部４３、４３を対向壁２２、２２が嵌合する。この状態で、フック２３ａが上下方向へ並ぶ取付孔４２に対応する。取付孔の高さ位置を選定して、左右のフック２３ａが同時に左右の取付孔４２に係合する。
【００３０】
ここで、図６で示すように、板状アーム３１を押し込むと、板状アーム３１と一体の鉤部３２が反時計回りに回動し、鉤部３２先端のブレーキ突子３４が浅溝部１６ｂの底面に食い込み状に当接する。この摩擦抵抗でスライダー２の定位置が固定される。
【００３１】
同時に、板状アーム３１の裏面側の嵌入爪３５が、下方の取付孔４２に嵌挿され、棚柱４（４ａ）に対する棚受け１の上方向への変位が阻止され、棚柱４に対し棚受け１及び棚板５が強固に取り付け固定される。
【図面の簡単な説明】
【００３２】
【図１】実施の形態の棚装置を示す斜視図である。
【図２】スライダーを示す平面図である。
【図３】スライダーとロックアームの関係を示す分離斜視図である。
【図４】棚柱と棚受けの関係を示す説明斜視図である。
【図５】取付孔にフックを係合させた状態を示す説明斜視図である。
【図６】スライダーを固定した状態を示す説明断面図である。
【図７】従来の棚装置を示す斜視図である。
【符号の説明】
【００３３】
１      棚受け
２      スライダー
３      ロックアーム
４、４ａ  棚柱
５      棚板
１１    正面板部
１２    天板部
１３    溝開口
１４    嵌着溝
１５    溝型上レール
１６    溝型下レール
２１    滑動板  
２２    枠体  
２３    フック板
２４    軸受け
３１    板状アーム
３２    鉤部
３３    軸部
３４    ブレーキ突子
３５    嵌入爪
４２    取付孔
１６ａ  深溝部
１６ｂ  浅溝部
１６ｃ  立上り壁  
２２ａ  両側壁
２２ｂ  背板
２３ａ  フック
【図１】
2014236888.tif 000003
【図２】
2014236888.tif 000004
【図３】
2014236888.tif 000005
【図４】
2014236888.tif 000006
【図５】
2014236888.tif 000007
【図６】
2014236888.tif 000008
【図７】
2014236888.tif 000009